(57)【特許請求の範囲】
【請求項１】
ワイヤレス通信装置であって、
第１のワイヤレス通信チャネル上でワイヤレス通信を受信するように構成された第１の受信チェーンと、第２のワイヤレス通信チャネル上でワイヤレス通信を受信するように構成された第２の受信チェーンとを備える受信機モジュールと、
前記第１の受信チェーンと第２の受信チェーンとに通信可能に結合された制御モジュールであって、
ワイヤレス通信が前記第１の受信チェーンにおいて受信されたときに前記第１および第２の受信チェーンを有効化することと、
前記ワイヤレス通信装置の前記第１および第２の受信チェーンにおけるワイヤレス通信がアイドルである経過アイドル時間を監視することと、
前記経過アイドル時間が所定のしきい値を超えたときに前記第２の受信チェーンを無効化することであって、前記所定のしきい値は履歴データに少なくとも部分的に基づいて適応的であり、前記所定のしきい値は、前記履歴データがワイヤレス通信を受信する可能性を示すときには、時間期間中に増加され、前記所定のしきい値は、前記履歴データがワイヤレス通信を受信する可能性の減少を示すときには、時間期間中に減少される、無効化することと、
を行うように構成された制御モジュールと
を備える、ワイヤレス通信装置。
【請求項２】
前記第１の受信チェーンがプライマリ受信チェーンであり、前記第２の受信チェーンがダイバーシティ受信チェーンである、請求項１に記載の装置。
【請求項３】
第３のワイヤレス通信チャネル上でワイヤレス通信を受信するように構成された第３の受信チェーンをさらに備え、前記制御モジュールは、前記第３の受信チェーンに通信可能に結合され、さらに、
ワイヤレス通信が前記第１の受信チェーンにおいて受信されたときに前記第１、第２、および第３の受信チェーンを有効化することと、
前記ワイヤレス通信装置の前記第１、第２、および第３の受信チェーンに向けられたワイヤレス通信がアイドルである経過アイドル時間を監視することと、
前記経過アイドル時間が前記所定のしきい値を超えたときに前記第２および第３の受信チェーンを無効化することと
を行うように構成される
請求項１に記載の装置。
【請求項４】
ワイヤレス通信を送信するように構成された送信チェーンを備える送信機モジュールであって、前記制御モジュールに通信可能に結合された送信機モジュール
をさらに備え、
前記制御モジュールは、さらに、ワイヤレス通信が前記送信チェーンを使用して送信されるときに前記第１および第２の受信チェーンを有効化するように構成される
請求項１に記載の装置。
【請求項５】
前記送信チェーンおよび前記第１の受信チェーンが、第１のアンテナに通信可能に結合され、前記第１のアンテナを使用して複信でワイヤレス通信を送信および受信する、請求項４に記載の装置。
【請求項６】
前記第２の受信チェーンは、第２のアンテナに通信可能に結合され、前記第２のアンテナを使用してワイヤレス通信を受信する
請求項５に記載の装置。
【請求項７】
前記所定のしきい値は、前記送信チェーン上のアクティビティに基づいて設定される、請求項４に記載の装置。
【請求項８】
前記送信チェーン上にアクティビティがあるときに前記所定のしきい値が増加され、前記送信チェーン上にアクティビティがないときに前記所定のしきい値が減少される、請求項７に記載の装置。
【請求項９】
前記所定のしきい値は、（ｉ）前記履歴データが、前記ワイヤレス通信装置に向けられたワイヤレス通信を受信する可能性の増加も減少も示さないときには第１の値に設定され、（ｉｉ）前記履歴データが、前記ワイヤレス通信装置に向けられたワイヤレス通信を受信する可能性の増加を示すときには、前記第１の値よりも長い経過アイドル時間に対応する第２の値に設定され、（ｉｉｉ）前記履歴データが、前記ワイヤレス通信装置に向けられたワイヤレス通信を受信する可能性の減少を示すときには、前記第１よりも短い経過アイドル時間に対応する第３の値に設定される、請求項１に記載の装置。
【請求項１０】
前記制御モジュールは、さらに、ワイヤレス通信が前記ワイヤレス通信装置において受信されたときに前記第１の受信チェーン上でのデータ受信に関するデータレートを決定することと、前記データレートがあらかじめ定義されたデータレートを満たすときに前記第２の受信チェーンを無効化することとを行うように構成される、請求項１に記載の装置。
【請求項１１】
前記あらかじめ定義されたデータレートしきい値が、前記第１の受信チェーンについての最大達成可能データレートに対応する、請求項１０に記載の装置。
【請求項１２】
第３のワイヤレス通信チャネル上でワイヤレス通信を受信するように構成された第３の受信チェーンをさらに備え、前記制御モジュールは、さらに、前記データレートが１つまたは複数のあらかじめ定義されたデータレートしきい値を満たすときに前記第２および第３の受信チェーンのうちの１つまたは複数を無効化するように構成される、請求項１０に記載の装置。
【請求項１３】
第３のワイヤレス通信チャネル上でワイヤレス通信を受信するように構成された第３の受信チェーンをさらに備え、前記制御モジュールは、前記第３の受信チェーンに通信可能に結合され、さらに、
ワイヤレス通信が受信されたときに前記第１および第２の受信チェーンを有効化することと、
前記第１の受信チェーンにおいて受信されたデータのタイプを決定することと、
受信されたデータの前記タイプに基づいて前記第３の受信チェーンを有効化することと
を行うように構成された、請求項１に記載の装置。
【請求項１４】
前記制御モジュールは、前記第１の受信チェーン上でのデータ受信に関する信号対干渉雑音比（ＳＩＮＲ）を決定することと、前記ＳＩＮＲがあらかじめ定義されたＳＩＮＲしきい値を満たすかまたはそれを超えたときに前記第２の受信チェーンを無効化することとを行うようにさらに構成された、請求項１に記載の装置。
【請求項１５】
ワイヤレス通信装置において電力消費量を低減するための方法であって、
第１の受信チェーンを使用して、第１のワイヤレス通信チャネル上でワイヤレス通信を受信することと、
第２の受信チェーンを使用して、第２のワイヤレス通信チャネル上でワイヤレス通信を受信することと、
前記ワイヤレス通信装置の前記第１および第２の受信チェーンにおけるワイヤレス通信がアイドルである経過アイドル時間を監視することと、
前記経過アイドル時間が所定のしきい値を超えたときに前記第２の受信チェーンを無効化することと、
前記ワイヤレス通信装置に向けられたワイヤレス通信が前記第１の受信チェーンにおいて受信されたときに前記第２の受信チェーンを有効化することと、
履歴データに少なくとも部分的に基づいて、前記所定のしきい値を調整することであって、前記所定のしきい値は、前記履歴データがワイヤレス通信を受信する可能性を示すときには、時間期間中に増加され、前記所定のしきい値は、前記履歴データがワイヤレス通信を受信する可能性の減少を示すときには、時間期間中に減少される、調整することと、
を備える、方法。
【請求項１６】
第３の受信チェーンを使用して、第３のワイヤレス通信チャネル上でワイヤレス通信を受信することと、
前記経過アイドル時間が前記所定のしきい値を超えたときに前記第３の受信チェーンを無効化することと、
前記ワイヤレス通信装置に向けられたワイヤレス通信が前記第１の受信チェーンにおいて受信されたときに前記第３の受信チェーンを有効化することと
をさらに備える、請求項１５に記載の方法。
【請求項１７】
第３の受信チェーンを使用して、第３のワイヤレス通信チャネル上でワイヤレス通信を受信することと、
前記第１および第２の受信チェーンのうちの１つまたは複数の上でのデータ受信に関するデータレートを決定することと、
前記データレートが１つまたは複数のあらかじめ定義されたデータレートしきい値を満たすときに前記第２および第３の受信チェーンのうちの１つまたは複数を無効化することと
をさらに備える、請求項１５に記載の方法。
【請求項１８】
前記第１および第２の受信チェーン上から受信されているデータのタイプを決定することと、
受信されているデータの前記タイプに基づいて少なくとも第３の受信チェーンを有効化することと
をさらに備える、請求項１５に記載の方法。
【請求項１９】
送信チェーンを使用して、前記ワイヤレス通信装置からワイヤレス通信を送信することと、
ワイヤレス通信が前記送信チェーンを使用して送信されるときに前記第２の受信チェーンを有効化することと、
前記ワイヤレス通信装置の前記第１および第２の受信チェーンにおけるワイヤレス通信がアイドルである経過アイドル時間を監視することと、
前記経過アイドル時間が前記所定のしきい値を超えたときに前記第２の受信チェーンを無効化することと
をさらに備える、請求項１５に記載の方法。
【請求項２０】
前記送信チェーン上のアクティビティに基づいて前記所定のしきい値を調整すること
をさらに備える、請求項１９に記載の方法。
【請求項２１】
調整することは、
前記送信チェーン上にアクティビティがあるときに前記所定のしきい値を増加させることと、
前記送信チェーン上にアクティビティがないときに前記所定のしきい値を減少させることと
を含む、請求項２０に記載の方法。
【請求項２２】
調整することは、
前記履歴データがワイヤレス通信の可能性の増加も減少も示さないときに第１の所定のしきい値を設定することと、
前記履歴データがワイヤレス通信の可能性の増加を示すときに前記第１の所定のしきい値よりも長い経過アイドル時間に対応する第２の所定のしきい値を設定することと、
前記履歴データがワイヤレス通信の可能性の減少を示すときに前記第１の所定のしきい値よりも短い経過アイドル時間に対応する第３の所定のしきい値を設定することと
を含む、請求項１５に記載の方法。
【請求項２３】
前記第１の受信チェーン上でのデータ受信に関するデータレートを決定することと、
前記データレートがあらかじめ定義されたしきい値を満たすときに前記第２の受信チェーンを無効化することと
をさらに備える、請求項１５に記載の方法。
【請求項２４】
前記あらかじめ定義されたしきい値は、前記第１の受信チェーンについての最大達成可能データレートに対応する、請求項２３に記載の方法。
【請求項２５】
前記第１の受信チェーン上でのデータ受信に関する信号対干渉雑音比（ＳＩＮＲ）を決定することと、
前記ＳＩＮＲがあらかじめ定義されたしきい値を満たすかまたはそれを超えたときに前記第２の受信チェーンを無効化することと
をさらに備える、請求項１５に記載の方法。
【請求項２６】
ワイヤレス通信装置であって、
第１のワイヤレス通信チャネル上でワイヤレス通信を受信するための第１の受信手段と、
第２のワイヤレス通信チャネル上でワイヤレス通信を受信するための第２の受信手段と、
前記ワイヤレス通信装置の前記第１および第２の受信手段におけるワイヤレス通信がアイドルである経過アイドル時間を監視するための手段と、
前記経過アイドル時間が所定のしきい値を超えたときに前記第２の受信手段を無効化するための手段と、
前記ワイヤレス通信装置に向けられたワイヤレス通信が前記第１の受信手段において受信されたときに前記第２の受信手段を有効化するための手段と、
履歴データに少なくとも部分的に基づいて、前記所定のしきい値を調整するための手段であって、前記所定のしきい値は、前記履歴データがワイヤレス通信を受信する可能性を示すときには、時間期間中に増加され、前記所定のしきい値は、前記履歴データがワイヤレス通信を受信する可能性の減少を示すときには、時間期間中に減少される、調整するための手段と、
を備える、ワイヤレス通信装置。
【請求項２７】
第３のワイヤレス通信チャネル上でワイヤレス通信を受信するための第３の受信手段と、
前記経過アイドル時間が前記所定のしきい値を超えたときに前記第３の受信手段を無効化するための手段と、
前記ワイヤレス通信装置に向けられたワイヤレス通信が前記第１の受信手段において受信されたときに前記第３の受信手段を有効化するための手段と
をさらに備える、請求項２６に記載の装置。
【請求項２８】
第３のワイヤレス通信チャネル上でワイヤレス通信を受信するための第３の受信手段と、
前記第１および第２の受信手段のうちの１つまたは複数の上でのデータ受信に関するデータレートを決定するための手段と、
前記データレートが１つまたは複数のあらかじめ定義されたデータレートしきい値を満たすときに前記第２および第３の受信手段のうちの１つまたは複数を無効化するための手段と
をさらに備える、請求項２６に記載の装置。
【請求項２９】
第３のワイヤレス通信チャネル上でワイヤレス通信を受信するための第３の受信手段と、
前記第１および第２の受信手段上から受信されているデータのタイプを決定するための手段と、
受信されているデータの前記タイプに基づいて前記第３の受信手段を有効化するための手段と
をさらに備える、請求項２６に記載の装置。
【請求項３０】
前記ワイヤレス通信装置からワイヤレス通信を送信するための送信手段と、
ワイヤレス通信が前記送信手段を使用して送信されるときに前記第２の受信手段を有効化するための手段と、
前記ワイヤレス通信装置に向けられたワイヤレス通信がアイドルである経過アイドル時間を監視するための手段と、
前記経過アイドル時間が前記所定のしきい値を超えたときに前記第２の受信手段を無効化するための手段と
をさらに備える、請求項２６に記載の装置。
【請求項３１】
前記送信手段および第１の受信手段は、第１のアンテナに相互接続され、前記第１のアンテナを使用して複信でワイヤレス通信を送信および受信する、請求項３０に記載の装置。
【請求項３２】
前記送信手段上のアクティビティに基づいて前記所定のしきい値を調整するための手段
をさらに備える、請求項３０に記載の装置。
【請求項３３】
前記所定のしきい値を調整することは、
前記送信手段上にアクティビティがあるときに前記所定のしきい値を増加させることと、
前記送信手段上にアクティビティがないときに前記所定のしきい値を減少させることと
を含む、請求項３２に記載の装置。
【請求項３４】
前記所定のしきい値を調整することは、
前記履歴データがワイヤレス通信の可能性の増加も減少も示さないときに第１の所定のしきい値を設定することと、
前記履歴データがワイヤレス通信の可能性の増加を示すときに前記第１の所定のしきい値よりも長い経過アイドル時間に対応する第２の所定のしきい値を設定することと、
前記履歴データがワイヤレス通信の可能性の減少を示すときに前記第１の所定のしきい値よりも短い経過アイドル時間に対応する第３の所定のしきい値を設定することと
を含む、請求項２６に記載の装置。
【請求項３５】
前記第１の受信手段上でのデータ受信に関するデータレートを決定するための手段
をさらに備え、
前記第２の受信手段を無効化するための前記手段は、前記データレートがあらかじめ定義されたしきい値を満たすときに前記第２の受信手段を無効化する
請求項２６に記載の装置。
【請求項３６】
前記あらかじめ定義されたしきい値は、前記第１の受信手段のための最大達成可能データレートに対応する、請求項３５に記載の装置。
【請求項３７】
前記第１の受信手段上でのデータ受信に関する信号対干渉雑音比（ＳＩＮＲ）を決定するための手段
をさらに備え、
前記第２の受信手段を無効化するための前記手段は、前記ＳＩＮＲがあらかじめ定義されたしきい値を満たすかまたはそれを超えたときに前記第２の受信手段を無効化する
請求項２６に記載の装置。
【請求項３８】
第１の受信チェーンを使用して、第１のワイヤレス通信チャネル上でワイヤレス通信を受信するためのコードと、
第２の受信チェーンを使用して、第２のワイヤレス通信チャネル上でワイヤレス通信を受信するためのコードと、
前記ワイヤレス通信装置の前記第１および第２の受信チェーンにおけるワイヤレス通信がアイドルである経過アイドル時間を監視するためのコードと、
前記経過アイドル時間が所定のしきい値を超えたときに前記第２の受信チェーンを無効化するためのコードと、
前記ワイヤレス通信装置に向けられたワイヤレス通信が前記第１の受信チェーンにおいて受信されたときに前記第２の受信チェーンを有効化するためのコードと、
履歴データに少なくとも部分的に基づいて、前記所定のしきい値を調整するためのコードであって、前記所定のしきい値は、前記履歴データがワイヤレス通信を受信する可能性を示すときには、時間期間中に増加され、前記所定のしきい値は、前記履歴データがワイヤレス通信を受信する可能性の減少を示すときには、時間期間中に減少される、調整するためのコードと、
を備えるコンピュータプログラム。
【請求項３９】
第３の受信チェーンを使用して、第３のワイヤレス通信チャネル上でワイヤレス通信を受信するためのコードと、
前記経過アイドル時間が前記所定のしきい値を超えたときに前記第３の受信チェーンを無効化するためのコードと、
前記ワイヤレス通信装置に向けられたワイヤレス通信が前記第１の受信チェーンにおいて受信されたときに前記第３の受信チェーンを有効化するためのコードと
をさらに備える、請求項３８に記載のコンピュータプログラム。
【請求項４０】
第３の受信チェーンを使用して、第３のワイヤレス通信チャネル上でワイヤレス通信を受信するためのコードと、
前記第１および第２の受信チェーンのうちの１つまたは複数の上でのデータ受信に関するデータレートを決定するためのコードと、
前記データレートが１つまたは複数のあらかじめ定義されたデータレートしきい値を満たすときに前記第２および第３の受信チェーンのうちの１つまたは複数を無効化するためのコードと
をさらに備える、請求項３８に記載のコンピュータプログラム。
【請求項４１】
前記第１および第２の受信チェーン上から受信されているデータのタイプを決定するためのコードと、
受信されているデータの前記タイプに基づいて少なくとも第３の受信チェーンを有効化するためのコードと
をさらに備える、請求項３８に記載のコンピュータプログラム。
【請求項４２】
送信チェーンを使用して、前記ワイヤレス通信装置からワイヤレス通信を送信するためのコードと、
ワイヤレス通信が前記送信チェーンを使用して送信されるときに前記第２の受信チェーンを有効化するためのコードと、
前記ワイヤレス通信装置に向けられたワイヤレス通信がアイドルである経過アイドル時間を監視するためのコードと、
前記経過アイドル時間が前記所定のしきい値を超えたときに前記第２の受信チェーンを無効化するためのコードと
をさらに備える、請求項３８に記載のコンピュータプログラム。
【請求項４３】
前記送信チェーン上のアクティビティに基づいて前記所定のしきい値を調整するためのコード
をさらに備える、請求項４２に記載のコンピュータプログラム。
【請求項４４】
調整するための前記コードは、
前記送信チェーン上にアクティビティがあるときに前記所定のしきい値を増加させるためのコードと、
前記送信チェーン上にアクティビティがないときに前記所定のしきい値を減少させるためのコードと
を含む、請求項４３に記載のコンピュータプログラム。
【請求項４５】
調整するための前記コードは、
前記履歴データがワイヤレス通信の可能性の増加も減少も示さないときに第１の所定のしきい値を設定するためのコードと、
前記履歴データがワイヤレス通信の可能性の増加を示すときに前記第１の所定のしきい値よりも長い経過アイドル時間に対応する第２の所定のしきい値を設定するためのコードと、
前記履歴データがワイヤレス通信の可能性の減少を示すときに前記第１の所定のしきい値よりも短い経過アイドル時間に対応する第３の所定のしきい値を設定するためのコードと
を含む、請求項３８に記載のコンピュータプログラム。
【請求項４６】
前記第１の受信チェーン上でのデータ受信に関するデータレートを決定するためのコードと、
前記データレートがあらかじめ定義されたしきい値を満たすときに前記第２の受信チェーンを無効化するためのコードと
をさらに備える、請求項３８に記載のコンピュータプログラム。
【請求項４７】
前記あらかじめ定義されたしきい値は、前記第１の受信チェーンについての最大達成可能データレートに対応する、請求項４６に記載のコンピュータプログラム。
【請求項４８】
前記第１の受信チェーン上でのデータ受信に関する信号対干渉雑音比（ＳＩＮＲ）を決定するためのコードと、
前記ＳＩＮＲがあらかじめ定義されたしきい値を満たすかまたはそれを超えたときに前記第２の受信チェーンを無効化するためのコードと
をさらに備える、請求項３８に記載のコンピュータプログラム。
【発明の詳細な説明】
【技術分野】
【０００１】
以下は、一般にワイヤレス通信に関し、より詳細には、受信チェーンダイバーシティ処理の低減を通じた、ワイヤレス通信システムにおけるモバイルデバイスの電力消費量低減に関する。ワイヤレス通信システムは、ボイス、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有する複数のユーザのモバイルデバイスによってアクセスされ得る。そのようなワイヤレス通信システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムが含まれる。
【背景技術】
【０００２】
概して、モバイルデバイスは、ワイヤレス通信システムを通じてボイスおよび／またはデータ通信を受信するように使用され得る。データ通信を受信するときには、概して、ユーザエクスペリエンスを向上させるためにモバイルデバイスとの間での通信のための比較的高いデータレートを有することが望ましい。データレートを高めるために通常使用される１つの技法は、マルチプルな受信および／または送信チェーンを使用して、マルチプルなワイヤレス通信チャネル上でデータ通信を同時に受信および／または送信する。しばしば、データは、プライマリアンテナを使用する受信チェーンと、セカンダリアンテナを使用する、一般にダイバーシティ受信チェーンと呼ばれる第２の受信チェーンとを用いて複信で動作する、プライマリアンテナを使用する単一の送信チェーンを使用してモバイルデバイスから送られる。
【０００３】
マルチプルな送信および／または受信チェーンの使用は、より高いデータ送信レートによってユーザエクスペリエンスを向上させるのに有効である。しかしながら、マルチプルな送信および／または受信チェーンの使用はまた、モバイルデバイスにおける電力消費量に悪影響を及ぼし得る。そのようなモバイルデバイスは、概してバッテリー動作式であり、モバイルデバイスがバッテリー電力のみを使用して動作することができる時間量を増加させることが望ましい。
【発明の概要】
【０００４】
説明する特徴は、一般に、モバイルデバイスにおいてダイバーシティ受信チェーンを適応的に有効化（enabling）および無効化（disabling）するための１つまたは複数の改善されたシステム、方法、および／または装置に関する。説明する方法および装置の利用可能性のさらなる範囲は、以下の詳細な説明、特許請求の範囲、および図面から明らかになろう。当業者には詳細な説明の趣旨および範囲内の様々な変更および改変が明らかであるから、詳細な説明および具体例は、単に例として与えるものである。
【０００５】
例示的なワイヤレス通信装置は、第１のワイヤレス通信チャネル上でワイヤレス通信を受信するように構成された第１の受信チェーンと、第２のワイヤレス通信チャネル上でワイヤレス通信を受信するように構成された第２の受信チェーンとを備える受信機モジュールと、第１の受信チェーンと第２の受信チェーンとに通信可能に結合された、ワイヤレス通信が第１の受信チェーンにおいて受信されたときに第１および第２の受信チェーンを有効化することと、ワイヤレス通信装置に向けられたワイヤレス通信がアイドルである経過アイドル時間を監視することと、経過アイドル時間が所定のしきい値を超えたときに第２の受信チェーンを無効化することとを行うように構成された制御モジュールとを含む。第１の受信チェーンはプライマリ受信チェーンであり得、第２の受信チェーンはダイバーシティ受信チェーンであり得る。
【０００６】
さらにまたは代替的に、装置の実施形態は、第３のワイヤレス通信チャネル上でワイヤレス通信を受信するように構成された第３の受信チェーンを含むことができ、制御モジュールは、第３の受信チェーンに通信可能に結合され、さらに、ワイヤレス通信が第１の受信チェーンにおいて受信されたときに第１、第２、および第３の受信チェーンを有効化することと、ワイヤレス通信装置に向けられたワイヤレス通信がアイドルである経過アイドル時間を監視することと、経過アイドル時間が所定のしきい値を超えたときに第２および第３の受信チェーンを無効化することとを行うように構成される。
【０００７】
さらにまたは代替的に、装置の実施形態は、ワイヤレス通信を送信するように構成された送信チェーンを備える送信機モジュールであって、制御モジュールに通信可能に結合された送信機モジュールを含むことができ、制御モジュールは、さらに、ワイヤレス通信が送信チェーンを使用して送信されるときに第１および第２の受信チェーンを有効化するように構成される。
【０００８】
そのような装置の実施形態は、送信チェーンおよび第１の受信チェーンが、第１のアンテナに通信可能に結合され、第１のアンテナを使用して複信でワイヤレス通信を送信および受信すること、第２の受信チェーンが、第２のアンテナに通信可能に結合され、第２のアンテナを使用してワイヤレス通信を受信すること、所定のしきい値が送信チェーン上のアクティビティに基づいて設定されること、送信チェーン上にアクティビティがあるときに所定のしきい値が増加されること、および送信チェーン上にアクティビティがないときに所定のしきい値が減少されること、所定のしきい値が、ワイヤレス通信装置に関する履歴使用データに基づいて適応的（adaptive）であること、所定のしきい値は、履歴使用データがワイヤレス通信装置の使用の増加を示すときに時間期間中に増加されること、および所定のしきい値は、（ｉ）履歴使用データが、ワイヤレス通信装置に向けられたワイヤレス通信を受信する可能性の増加も減少も示さないときには第１の値に設定され、（ｉｉ）履歴使用データが、ワイヤレス通信装置に向けられたワイヤレス通信を受信する可能性の増加を示すときには、第１の値よりも長い経過アイドル時間に対応する第２の値に設定され、（ｉｉｉ）履歴使用データが、ワイヤレス通信装置に向けられたワイヤレス通信を受信する可能性の減少を示すときには、第１の時間期間よりも短い経過アイドル時間に対応する第３の値に設定されることという特徴のうちの１つまたは複数を含むことができる。
【０００９】
さらにまたは代替的に、装置の実施形態は、ワイヤレス通信がワイヤレス通信装置において受信されたときに第１の受信チェーン上でのデータ受信に関するデータレートを決定することと、データレートがあらかじめ定義されたデータレートしきい値を満たすときに第２の受信チェーンを無効化することとを行うようにさらに構成された制御モジュールを含むことができる。あらかじめ定義されたデータレートしきい値は、第１の受信チェーンについての最大達成可能データレートに対応し得る。そのような装置の実施形態はまた、第３のワイヤレス通信チャネル上でワイヤレス通信を受信するように構成された第３の受信チェーンを含むことができ、制御モジュールは、さらに、データレートが１つまたは複数のあらかじめ定義されたデータレートしきい値を満たすときに第２および第３の受信チェーンのうちの１つまたは複数を無効化するように構成される。さらにまたは代替的に、制御モジュールは、第１の受信チェーン上でのデータ受信に関する信号対干渉雑音比（ＳＩＮＲ）を決定することと、ＳＩＮＲがあらかじめ定義されたＳＩＮＲしきい値を満たすかまたはそれを超えたときに第２の受信チェーンを無効化することとを行うように構成され得る。
【００１０】
さらにまたは代替的に、装置の実施形態は、第３のワイヤレス通信チャネル上でワイヤレス通信を受信するように構成された第３の受信チェーンを含むことができ、制御モジュールは、第３の受信チェーンに通信可能に結合され、さらに、ワイヤレス通信が受信されたときに第１および第２の受信チェーンを有効化することと、第１の受信チェーンにおいて受信されたデータのタイプを決定することと、受信されたデータのタイプに基づいて第３の受信チェーンを有効化することとを行うように構成される。
【００１１】
ワイヤレス通信装置における電力消費量を低減するための例示的な方法は、第１の受信チェーンを使用して、第１のワイヤレス通信チャネル上でワイヤレス通信を受信することと、第２の受信チェーンを使用して、第２のワイヤレス通信チャネル上でワイヤレス通信を受信することと、ワイヤレス通信装置に向けられたワイヤレス通信がアイドルである経過アイドル時間を監視することと、経過アイドル時間が所定のしきい値を超えたときに第２の受信チェーンを無効化することと、ワイヤレス通信装置に向けられたワイヤレス通信が第１の受信チェーンにおいて受信されたときに第２の受信チェーンを有効化することとを含む。
【００１２】
さらにまたは代替的に、方法の実施形態は、第３の受信チェーンを使用して、第３のワイヤレス通信チャネル上でワイヤレス通信を受信することと、経過アイドル時間が所定のしきい値を超えたときに第３の受信チェーンを無効化することと、ワイヤレス通信装置に向けられたワイヤレス通信が第１の受信チェーンにおいて受信されたときに第３の受信チェーンを有効化することとを含むことができる。
【００１３】
さらにまたは代替的に、方法の実施形態は、第３の受信チェーンを使用して、第３のワイヤレス通信チャネル上でワイヤレス通信を受信することと、第１および第２の受信チェーンのうちの１つまたは複数の上でのデータ受信に関するデータレートを決定することと、データレートが１つまたは複数のあらかじめ定義されたデータレートしきい値を満たすときに第２および第３の受信チェーンのうちの１つまたは複数を無効化することとを含むことができる。
【００１４】
さらにまたは代替的に、方法の実施形態は、第１および第２の受信チェーン上から受信されているデータのタイプを決定することと、受信されているデータのタイプに基づいて少なくとも第３の受信チェーンを有効化することとを含むことができる。
【００１５】
さらにまたは代替的に、方法の実施形態は、送信チェーンを使用して、ワイヤレス通信装置からワイヤレス通信を送信することと、ワイヤレス通信が送信チェーンを使用して送信されるときに第２の受信チェーンを有効化することと、ワイヤレス通信装置に向けられたワイヤレス通信がアイドルである経過アイドル時間を監視することと、経過アイドル時間が所定のしきい値を超えたときに第２の受信チェーンを無効化することとを含むことができる。
【００１６】
方法の実施形態は、送信チェーン上のアクティビティに基づいて所定のしきい値を調整すること、送信チェーン上にアクティビティがあるときに所定のしきい値を増加させること、および送信チェーン上にアクティビティがないときに所定のしきい値を減少させること、ワイヤレス通信装置に関する履歴使用データに基づいて所定のしきい値を調整すること、履歴使用データがワイヤレス通信装置の使用の増加を示すときに時間期間中に所定のしきい値を増加させること、履歴使用データがワイヤレス通信の可能性の増加も減少も示さないときに第１の所定のしきい値を設定すること、履歴使用データがワイヤレス通信の可能性の増加を示すときに第１の所定のしきい値よりも長い経過アイドル時間に対応する第２の所定のしきい値を設定すること、および履歴使用データがワイヤレス通信の可能性の減少を示すときに第１の所定のしきい値よりも短い経過アイドル時間に対応する第３の所定のしきい値を設定することという特徴のうちの１つまたは複数を含むことができる。
【００１７】
さらにまたは代替的に、方法の実施形態は、第１の受信チェーン上でのデータ受信に関するデータレートを決定すること、およびデータレートがあらかじめ定義されたしきい値を満たすときに第２の受信チェーンを無効化すること、あらかじめ定義されたしきい値が、第１の受信チェーンについての最大達成可能データレートに対応すること、第１の受信チェーン上でのデータ受信に関する信号対干渉雑音比（ＳＩＮＲ）を決定すること、およびＳＩＮＲがあらかじめ定義されたしきい値を満たすかまたはそれを超えたときに第２の受信チェーンを無効化することという特徴のうちの１つまたは複数を含むことができる。
【００１８】
別の例示的なワイヤレス通信装置は、第１のワイヤレス通信チャネル上でワイヤレス通信を受信するための第１の受信手段と、第２のワイヤレス通信チャネル上でワイヤレス通信を受信するための第２の受信手段と、ワイヤレス通信装置に向けられたワイヤレス通信がアイドルである経過アイドル時間を監視するための手段と、経過アイドル時間が所定のしきい値を超えたときに第２の受信手段を無効化するための手段と、ワイヤレス通信装置に向けられたワイヤレス通信が第１の受信手段において受信されたときに第２の受信手段を有効化するための手段とを含む。
【００１９】
さらにまたは代替的に、装置の実施形態は、第３のワイヤレス通信チャネル上でワイヤレス通信を受信するための第３の受信手段と、経過アイドル時間が所定のしきい値を超えたときに第３の受信手段を無効化するための手段と、ワイヤレス通信装置に向けられたワイヤレス通信が第１の受信手段において受信されたときに第３の受信手段を有効化するための手段とを含むことができる。
【００２０】
さらにまたは代替的に、装置の実施形態は、第３のワイヤレス通信チャネル上でワイヤレス通信を受信するための第３の受信手段と、第１および第２の受信手段のうちの１つまたは複数の上でのデータ受信に関するデータレートを決定するための手段と、データレートが１つまたは複数のあらかじめ定義されたデータレートしきい値を満たすときに第２および第３の受信手段のうちの１つまたは複数を無効化するための手段とを含むことができる。
【００２１】
さらにまたは代替的に、装置の実施形態は、第３のワイヤレス通信チャネル上でワイヤレス通信を受信するための第３の受信手段と、第１および第２の受信手段上から受信されているデータのタイプを決定するための手段と、受信されているデータのタイプに基づいて第３の受信手段を有効化するための手段とを含むことができる。
【００２２】
さらにまたは代替的に、装置の実施形態は、ワイヤレス通信装置からワイヤレス通信を送信するための送信手段と、ワイヤレス通信が送信チェーンを使用して送信されるときに第２の受信手段を有効化するための手段と、ワイヤレス通信装置に向けられたワイヤレス通信がアイドルである経過アイドル時間を監視するための手段と、経過アイドル時間が所定のしきい値を超えたときに第２の受信手段を無効化するための手段とを含むことができる。
【００２３】
装置の実施形態は、送信手段および第１の受信手段が、第１のアンテナに相互接続され、第１のアンテナを使用して複信でワイヤレス通信を送信および受信すること、送信手段上のアクティビティに基づいて所定のしきい値を調整するための手段であって、調整は、送信手段上にアクティビティがあるときに所定のしきい値を増加させることと、送信手段上にアクティビティがないときに所定のしきい値を減少させることとを含み得る、調整するための手段、ワイヤレス通信装置に関する履歴使用データに基づいて所定のしきい値を調整するための手段、履歴使用データがワイヤレス通信装置の使用の増加を示すときに時間期間中に所定のしきい値を増加させるための手段、という特徴のうちの１つまたは複数を含むことができる。
【００２４】
さらにまたは代替的に、装置の実施形態は、履歴使用データがワイヤレス通信の可能性の増加も減少も示さないときに第１の所定のしきい値を設定することと、履歴使用データがワイヤレス通信の可能性の増加を示すときに第１の所定のしきい値よりも長い経過アイドル時間に対応する第２の所定のしきい値を設定することと、履歴使用データがワイヤレス通信の可能性の減少を示すときに第１の所定のしきい値よりも短い経過アイドル時間に対応する第３の所定のしきい値を設定することとを行うための調整手段を含むことができる。
【００２５】
さらにまたは代替的に、装置の実施形態は、第１の受信手段上でのデータ受信に関するデータレートを決定するための手段を含むことができ、第２の受信手段を無効化するための手段は、データレートがあらかじめ定義されたしきい値を満たすときに第２の受信手段を無効化する。あらかじめ定義されたしきい値は、第１の受信手段に関する最大達成可能データレートに対応し得る。
【００２６】
さらにまたは代替的に、装置の実施形態はまた、第１の受信手段上でのデータ受信に関する信号対干渉雑音比（ＳＩＮＲ）を決定するための手段を含むことができ、第２の受信手段を無効化するための手段は、ＳＩＮＲがあらかじめ定義されたしきい値を満たすかまたはそれを超えたときに第２の受信手段を無効化する。
【００２７】
例示的なコンピュータプログラム製品は、第１の受信チェーンを使用して、第１のワイヤレス通信チャネル上でワイヤレス通信を受信するためのコードと、第２の受信チェーンを使用して、第２のワイヤレス通信チャネル上でワイヤレス通信を受信するためのコードと、ワイヤレス通信装置に向けられたワイヤレス通信がアイドルである経過アイドル時間を監視するためのコードと、経過アイドル時間が所定のしきい値を超えたときに第２の受信チェーンを無効化するためのコードと、ワイヤレス通信装置に向けられたワイヤレス通信が第１の受信チェーンにおいて受信されたときに第２の受信チェーンを有効化するためのコードとを備えるコンピュータ可読媒体を含む。
【００２８】
また、そのようなコンピュータプログラム製品の実施形態は、第３の受信チェーンを使用して、第３のワイヤレス通信チャネル上でワイヤレス通信を受信するためのコードと、経過アイドル時間が所定のしきい値を超えたときに第３の受信チェーンを無効化するためのコードと、ワイヤレス通信装置に向けられたワイヤレス通信が第１の受信チェーンにおいて受信されたときに第３の受信チェーンを有効化するためのコードとを含むことができる。
【００２９】
さらにまたは代替的に、そのようなコンピュータプログラム製品の実施形態は、第３の受信チェーンを使用して、第３のワイヤレス通信チャネル上でワイヤレス通信を受信するためのコードと、第１および第２の受信チェーンのうちの１つまたは複数の上でのデータ受信に関するデータレートを決定するためのコードと、データレートが１つまたは複数のあらかじめ定義されたデータレートしきい値を満たすときに第２および第３の受信チェーンのうちの１つまたは複数を無効化するためのコードとを含むことができる。
【００３０】
さらにまたは代替的に、そのようなコンピュータプログラム製品の実施形態は、第１および第２の受信チェーン上から受信されているデータのタイプを決定するためのコードと、受信されているデータのタイプに基づいて少なくとも第３の受信チェーンを有効化するためのコードとを含むことができる。
【００３１】
さらにまたは代替的に、そのようなコンピュータプログラム製品の実施形態は、送信チェーンを使用して、ワイヤレス通信装置からワイヤレス通信を送信するためのコードと、ワイヤレス通信が送信チェーンを使用して送信されるときに第２の受信チェーンを有効化するためのコードと、ワイヤレス通信装置に向けられたワイヤレス通信がアイドルである経過アイドル時間を監視するためのコードと、経過アイドル時間が所定のしきい値を超えたときに第２の受信チェーンを無効化するためのコードとを含むことができる。
【００３２】
そのようなコンピュータプログラム製品の実施形態はまた、送信チェーン上のアクティビティに基づいて所定のしきい値を調整するためのコード、送信チェーン上にアクティビティがあるときに所定のしきい値を増加させるためのコード、送信チェーン上にアクティビティがないときに所定のしきい値を減少させるためのコード、ワイヤレス通信装置に関する履歴使用データに基づいて所定のしきい値を調整するためのコード、履歴使用データがワイヤレス通信装置の使用の増加を示すときに時間期間中に所定のしきい値を増加させるためのコード、第１の受信チェーン上でのデータ受信に関するデータレートを決定するためのコード、およびデータレートがあらかじめ定義されたしきい値を満たすときに第２の受信チェーンを無効化するためのコードという特徴のうちの１つまたは複数を含むことができる。
【００３３】
以下の図面を参照すれば、本発明の性質および利点のさらなる理解が得られる。添付の図において、同様のコンポーネントまたは特徴は同じ参照ラベルを有する。さらに、同じタイプの様々なコンポーネントは、参照ラベルの後に、ダッシュと、類似のコンポーネント同士を区別する第２のラベルとを続けることによって区別される。第１の参照ラベルのみが明細書において使用される場合、その説明は、第２の参照ラベルにかかわらず、同じ第１の参照ラベルを有する同様のコンポーネントのうちのいずれか１つに適用可能である。
【図面の簡単な説明】
【００３４】
【図１】本明細書で開示する方法および装置が利用され得るワイヤレス通信システムのブロック図。
【図２】例示的なワイヤレスモバイルデバイスのブロック図。
【図３】２つの受信チェーンを有する受信モジュールの一例のブロック図。
【図４】制御モジュールの一例のブロック図。
【図５】ダイバーシティ受信チェーン処理のための方法のフローチャート。
【図６】送信チェーン上のアクティビティに基づくダイバーシティ受信チェーン処理のための方法のフローチャート。
【図７】送信チェーン上のアクティビティに基づくダイバーシティ受信チェーン処理のための別の方法のフローチャート。
【図８】履歴アクティビティデータに基づくダイバーシティ受信チェーン処理のための方法のフローチャート。
【図９】信号対干渉雑音比に基づくダイバーシティ受信チェーン処理のための方法のフローチャート。
【図１０】ダイバーシティ受信チェーン処理のための別の方法のフローチャート。
【図１１】受信されたデータのタイプに基づくダイバーシティ受信チェーン処理のための別の方法のフローチャート。
【詳細な説明】
【００３５】
ワイヤレス通信システム内のモバイルワイヤレスデバイスにおける受信チェーンダイバーシティ処理の管理について説明する。モバイルデバイスにおいてデータが受信されていないときには、ダイバーシティ受信チェーンは、モバイルデバイスにおいて消費される電力を低減するために無効化され得る。ダイバーシティ受信チェーンは、データの受信および／または送信からのアイドル時間に基づいて１つまたは複数の異なるアルゴリズムに従って無効化され得る。ダイバーシティ受信チェーンの無効化をトリガするアイドル時間の量は、適応的であり得る。一例では、モバイルデバイスは、プライマリ受信チェーンとダイバーシティ受信チェーンの両方を使用してワイヤレス通信を受信する。モバイルデバイスに向けられたワイヤレス通信がアイドルであるときには、経過アイドル時間が監視され、ダイバーシティ受信チェーンは、経過アイドル時間が所定のしきい値を超えたときに無効化される。モバイルデバイスは、ボイス通信、データ通信、ならびにボイスおよびデータ通信を受信するときに異なるアルゴリズムを使用し得る。
【００３６】
以下の説明は、例を与えるものであり、特許請求の範囲において記載される範囲、利用可能性、または構成を限定するものではない。本開示の趣旨および範囲から逸脱することなく、説明する要素の機能および構成において変更が行われ得る。様々な実施形態は、適宜に様々なプロシージャまたはコンポーネントを省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００３７】
最初に図１を参照すると、ブロック図に、ワイヤレス通信システム１００の一例が示されている。システム１００は、基地局１０５と、モバイルデバイス１１５と、基地局コントローラ１２０と、コアネットワーク１２５とを含む（コントローラ１２０はコアネットワーク１２５に組み込まれ得る）。システム１００は、マルチプルなキャリア（異なる周波数の波形信号）上での動作をサポートし得る。マルチキャリア送信機は、マルチプルなキャリア上で同時に、変調された信号を送信することができる。変調された各信号は、ＣＤＭＡ信号、ＴＤＭＡ信号、ＯＦＤＭＡ信号、ＳＣ−ＦＤＭＡ信号などであり得る。変調された各信号は、異なるキャリア上で送信されることができ、制御情報（たとえば、パイロット信号）、オーバーヘッド情報、データなどを搬送することができる。システム１００は、ネットワークリソースを効率的に割り振ることが可能なマルチキャリアＬＴＥネットワークであり得る。
【００３８】
基地局１０５は、基地局アンテナを介してモバイルデバイス１１５とワイヤレス通信し得る。基地局１０５は、マルチプルなキャリアを介してコントローラ１２０の制御下でモバイルデバイス１１５と通信するように構成される。基地局１０５サイトの各々は、それぞれの地理的エリアに通信カバレージを提供することができる。各基地局についてのカバレージエリアは、ここでは、１１０−ａ、１１０−ｂ、または１１０−ｃとして識別される。基地局のためのカバレージエリアは、（図示されていないが、カバレージエリアの一部分のみを構成する）セクタへと分割され得る。システム１００は、異なるタイプの基地局１０５（たとえば、マクロ基地局、マイクロ基地局、および／またはピコ基地局）を含むことができる。
【００３９】
モバイルデバイス１１５は、カバレージエリア１１０全体にわたって分散され得る。モバイルデバイス１１５は、移動局、モバイルデバイス、アクセス端末（ＡＴ）、ユーザ機器（ＵＥ）または加入者ユニットと呼ばれることがある。モバイルデバイス１１５は、セルラー電話とワイヤレス通信デバイスとを含み得るが、また、携帯情報端末（ＰＤＡ）、他のハンドヘルドデバイス、ネットブック、ノートブックコンピュータなども含み得る。
【００４０】
ネットワークタイプおよびサービス目的に応じて、異なるネットワークスケーリングダウンモードが考えられる。ネットワーク中のチャネルリソースおよび空間リソースを利用する様々な方法がある。異なるサイト上にマルチプルなキャリアを有するワイヤレスネットワークについて考える。異なるキャリアが、すべて、単一の無線アクセス技術（ＲＡＴ）のために使用されるか、またはマルチプルな無線アクセス技術（マルチＲＡＴ）（たとえば、Ｎ１  ＵＭＴＳキャリアおよびＮ２  ＧＳＭ（登録商標）キャリア）のために使用され得る。キャリアおよびサイトディメンションをスケールダウンする異なるモダリティが定義され得る。図２〜図６の以下のグラフは、様々なスケールダウン原理を示す。各ｙ軸２０５は、異なるキャリアを示し、各ｘ軸２１０は、異なるサイト、または異なるセクタを示す。影つき正方形は、特定のキャリアが所与のサイトまたはセクタのためにオンにされるかどうかを示す。
【００４１】
次に図２を参照して、モバイルデバイス１１５‐ａのブロック図２００について説明する。モバイルデバイス１１５‐ａは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど、任意の数の異なる構成を有し得る。モバイルデバイス１１５‐ａは、モバイル動作を容易にするために、バッテリーなどの内部電源（図示せず）を有するモバイル構成を有し得る。モバイルデバイス１１５‐ａは、モバイルデバイス１１５‐ａとの間のワイヤレス通信の送信／受信において使用され得る２つ以上のアンテナ２０５を含む。いくつかの実施形態では、アンテナ２０５は、プライマリアンテナとセカンダリアンテナとを含み、プライマリアンテナは、ワイヤレス通信チャネル上でのワイヤレス通信の送信および受信のために使用され、セカンダリアンテナは、異なるワイヤレス通信チャネル上でのワイヤレス通信の受信のために使用される。いくつかのデバイスでは、ワイヤレス通信は、２つよりも多くのワイヤレス通信チャネル上で受信されることができ、そのようなデバイスは、３つ以上の異なるワイヤレス通信チャネル上でワイヤレス通信を受信するために、必要に応じて追加のアンテナを含む。受信機モジュール２１０および送信機モジュール２１５は、アンテナに結合される。受信機モジュール２１０は、アンテナから信号を受信し、その信号を復調および処理し、処理された信号を制御モジュール２２０に提供する。同様に、送信機モジュール２１５は、制御モジュール２２０から信号を受信し、その信号を処理および変調し、アンテナ２０５を使用して、処理され変調された信号を送信する。いくつかの実施形態では、送信機モジュール２１５および受信機モジュール２１０は、単一のトランシーバモジュールに組み込まれ得る。制御モジュール２２０は、モバイルデバイス１１５‐ａの動作に関係する処理タスクを実行し、モバイルデバイス１１５‐ａのユーザが、様々な機能を選択し、制御し、モバイルデバイスと対話することを可能にする、ユーザインターフェース２２５に結合される。たとえば、モバイルデバイス１１５‐ａの様々なコンポーネントは、バスを介してモバイルデバイス１１５‐ａの他のコンポーネントの一部または全部と通信し得る。
【００４２】
次に図３を参照して、例示的な受信機モジュール２１０‐ａのブロック図３００について説明する。図３の受信機モジュール２１０‐ａは、第１の受信チェーン３０５と、第２の受信チェーン３１０と、第ｎの受信チェーン３１５とを含む、マルチプルな受信チェーンを含む。いくつかの例への言及は、２つよりも多くの受信チェーンが受信機モジュール中に存在し得るという理解の下で、２つの例示的な受信チェーンを使用して行われ、概念の説明および例示のために、様々な例において２つの受信チェーンについて説明する。受信チェーン３０５、３１０、３１５の各々は、アンテナに結合され、アンテナからワイヤレス通信信号を受信する。第１の受信チェーン３０５は、いくつかの実施形態では、モバイルデバイスのプライマリアンテナに結合され、プライマリアンテナを送信機モジュール（図２の２１５）と共有する。第２の受信チェーン３１０および第ｎの受信チェーン３１５は、いくつかの実施形態では、セカンダリアンテナに結合され、モバイルデバイスにおけるデータの受信のための増大されたレートを提供するためにダイバーシティ受信チェーンとして使用される。受信チェーン３０５、３１０および３１５の各々は、そのような受信チェーンにおいて使用されるコンポーネントを含む。そのようなコンポーネントは、よく理解されていて、ここで詳細に説明される必要はなく、デジタル出力を制御モジュール（図２の２２０）に与えるために、入来信号の受信およびフィルタ処理と、周波数変換および利得制御と、受信信号のベースバンド処理とに関係するタスクを実行する。様々な実施形態では、以下でより詳細に説明するように、第２の受信チェーン３１０、および第ｎの受信チェーン３１５は、モバイルデバイスの全体的な電力消費量を低減するために特定の条件の下で無効化される。
【００４３】
図４は、いくつかの例示的な実施形態による、制御モジュール２２０‐ａのブロック図４００である。制御モジュール２２０‐ａは、アイドル時間モニタ４１０を含むプロセッサモジュール４０５を含む。制御モジュール２２０‐ａは、メモリ４１５も含む。メモリ４１５は、ランダムアクセスメモリ（ＲＡＭ）および読取り専用メモリ（ＲＯＭ）を含み得る。メモリ４１５は、実行されたときにプロセッサモジュール４０５にモバイルデバイスの様々な機能（たとえば、呼処理、メッセージルーティング、アプリケーションの実行など）を実行させるように構成された命令を含んでいる、コンピュータ可読、コンピュータ実行可能なソフトウェアコード４２０を記憶し得る。代替的に、ソフトウェアコード４２０は、プロセッサモジュール４０５によって直接的には実行可能でなく、たとえば、コンパイルされ実行されたときにプロセッサモジュールに本明細書で説明する機能を実行させるように構成されることもできる。ソフトウェアコード４２０はまた、実行されたときに、プロセッサモジュール４０５に、たとえば、モバイルデバイスのユーザがデータを送信および／または受信するためにモバイルデバイスを使用する可能性が高い日および時間に関係する履歴使用データを追跡させ、記録させ得る。履歴使用データは、メモリ４１５に記憶され、プロセッサモジュール４０５によって、必要に応じてアクセスされ、更新され得る。
【００４４】
プロセッサモジュール４０５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール４０５は、マイクロフォンを介してオーディオを受信し、そのオーディオを、受信したオーディオを表す（たとえば、長さ３０ｍｓの）パケットに変換し、そのオーディオパケットを送信機モジュール（図２の２１５）に提供し、ユーザが話しているかどうかのインジケーションを提供するように構成された音声エンコーダ（speech encoder）（図示せず）を含み得る。プロセッサモジュール４０５は、ユーザインターフェースを通じて、ユーザがアクセスし得る１つまたは複数のアプリケーションを実行して、モバイルデバイスから送信されるべきデジタルコンテンツを生成し得る。そのようなデジタルコンテンツは、ほんの２つの例を挙げれば、プロセッサモジュール４０５がデータパケットへと変換し、そのデータパケットを送信機モジュールに提供することのできる、電子メールまたはテキストメッセージ通信を含み得る。
【００４５】
図４のアーキテクチャによれば、プロセッサモジュール４０５はアイドル時間モニタ４１０を含む。アイドル時間モニタ４１０は、プロセッサモジュール４０５によって実行されるソフトウェアの一部として実装され得る。代替的に、アイドル時間モニタ４１０の機能は、受信機モジュール（図２の２１０）のコンポーネントとして、コンピュータプログラム製品として、ならびに／あるいは制御モジュール２２０‐ａの１つまたは複数の別個のコントローラ要素として実装され得る。アイドル時間モニタ４１０は、いくつかの実施形態では、モバイルデバイスに向けられたワイヤレス通信の受信からの経過アイドル時間を監視する。経過アイドル時間は、以下でさらに説明するように、たとえば、第２の受信チェーンを無効化することを決定する際に使用され得る。モバイルデバイスは、一般に、様々なソースからのいくつかの異なるワイヤレス通信、ならびに、モバイルデバイスに向けられたプッシュ電子メールサービスから生成されたデータ通信など、モバイルデバイスに特に向けられたワイヤレス通信を受信する。モバイルデバイスに向けられたワイヤレス通信に言及する場合、ワイヤレス通信システム中に存在する一般的なオーバーヘッド通信ではなく、そのような向けられた通信に言及する。
【００４６】
図５は、様々な実施形態による、モバイルデバイスにおける第２の受信チェーンを有効化および無効化するための方法５００のフローチャートである。方法５００は、たとえば、全体的にまたは部分的に、図２のモバイルデバイス１１５‐ａ、または図４のプロセッサモジュール４０５によって実行され得る。ブロック５０５において、第１および第２の受信チェーンを使用して、モバイルデバイスにおいてワイヤレス通信が受信される。ワイヤレスデータは、第１の受信チェーンまたはプライマリ受信チェーンに対応するワイヤレス通信チャネルと、第２の受信チェーンまたはダイバーシティ受信チェーンに対応するワイヤレス通信チャネルとの、２つの別個のワイヤレス通信チャネルから受信され得る。ブロック５１０において、デバイスに向けられたワイヤレス通信がアイドルであるかどうかが決定される。そのような決定は、たとえば、第１または第２の受信チェーンにおけるアクティビティについて監視することによって決定され得る。デバイスに向けられたワイヤレス通信がアイドルでない場合、方法はブロック５０５において継続する。デバイスに向けられたワイヤレス通信がアイドルである場合、ブロック５１５において、アイドル時間しきい値を超えたかどうかの決定がなされる。そのような決定は、ワイヤレス通信がアイドルであると最初に決定されたときにアイドル時間モニタにおいてタイマーを開始することによって行われ得る。経過時間がアイドル時間しきい値を超えない場合、方法はブロック５１０において継続する。経過時間がアイドル時間しきい値を超えた場合、ブロック５２０において第２の受信チェーンが無効化される。アイドル時間しきい値は、様々な異なる基準に従って設定されることができ、それらのいくつかの例について本明細書で説明する。一実施形態では、アイドル時間しきい値は、たとえば、５０ｍｓなどの所定の限界に設定される。モバイルデバイスに向けられたワイヤレス通信がそのような時間期間の間に受信されないときには、これは、特定の通信が完了し、モバイルデバイスに向けられた別の通信がかなり長い時間受信されないことを示し得る。したがって、第２の受信チェーンは、かなり長い時間必要とされない可能性が高いので無効化され、それにより、デバイスの全体的な電力消費量が低減され得る。
【００４７】
ブロック５２５において、デバイスに向けられたワイヤレス通信が受信されたかどうかが決定される。通信が受信されない場合、方法は、第２の受信チェーンが無効化された状態で継続する。デバイスへのワイヤレス通信が受信された場合、デバイスがデータを受信することができる拡張されたレートを与えるように、ブロック５３０において第２の受信チェーンが再び有効化される。方法は、次いでブロック５０５において継続する。
【００４８】
図６は、様々な実施形態による、モバイルデバイスにおいて第２の受信チェーンを有効化および無効化するための別の方法６００のフローチャートである。方法６００は、たとえば、全体的にまたは部分的に、図２のモバイルデバイス１１５‐ａ、または図４のプロセッサモジュール４０５によって実行され得る。ブロック６０５において、送信チェーンを使用して、モバイルデバイスからワイヤレス通信が送信される。上記で説明したように、ワイヤレスデータは、第１および第２の受信チェーン上の、２つの別個のワイヤレス通信チャネル上で、モバイルデバイスにおいて受信され得る。ブロック６１０において、第２の受信チェーンが有効化される。これは、ワイヤレス通信の送信に応答してモバイルデバイスに向けられたワイヤレス通信を受信することを予想して行われる。ブロック６１５において、デバイスに向けられたワイヤレス通信がアイドルであるかどうかが決定される。上記で説明したのと同様に、そのような決定は、たとえば、第１または第２の受信チェーンにおけるアクティビティについて監視することによって行われ得る。デバイスに向けられたワイヤレス通信がアイドルでない場合、方法はブロック６１０において継続する。デバイスに向けられたワイヤレス通信がアイドルである場合、ブロック６２０において、アイドル時間しきい値を超えたかどうかの決定がなされる。そのような決定は、ワイヤレス通信がアイドルであると最初に決定されたときにアイドル時間モニタにおいてタイマーを開始することによって行われ得る。経過時間がアイドル時間しきい値を超えない場合、方法はブロック６１５において継続する。経過時間がアイドル時間しきい値を超えた場合、ブロック６２５において第２の受信チェーンが無効化される。上記で説明したように、アイドル時間しきい値は、様々な異なる基準に従って設定されることができ、それらのいくつかの例について本明細書で説明する。
【００４９】
図５および図６の方法に関して説明したように、第２の受信チェーンを無効化すべきかどうかを決定するための基礎として、アイドル時間しきい値が使用される。いくつかの実施形態によるアイドル時間しきい値は、データレートの拡張と全体的な電力消費量の低減との両方を達成するように機能する特定の基準に基づいて調整される。次に図７を参照して、アイドル時間しきい値を調整するための方法７００について説明する。最初に、ブロック７０５において、アイドル時間しきい値が初期値に設定される。この値は、データ通信が完了したことを示す平均時間量に、ネットワーク待ち時間遅延など、ワイヤレス通信の受信におけるいくらかの遅延を考慮するためのいくらかの追加の時間を加えたもの、に基づき得る。一実施形態では、アイドル時間しきい値のための初期値は５０ｍｓに設定され、これは、この時間期間の間にワイヤレス通信がデバイスに向けられなかった場合、ワイヤレス通信は、完了した可能性が高く、ある未知の時間期間の間に再び開始される必要がないことを示す。方法７００では、７１０において、送信チェーン上にアクティビティがあるかどうかが決定される。送信チェーン上にアクティビティがある場合、ブロック７１５においてアイドル時間しきい値が増加される。そのような場合、送信チェーン上のアクティビティは、モバイルデバイスに向けられたワイヤレス通信が受信される可能性がより高いことを示し得、アイドル時間しきい値は、他の無効化される場合と同じくらい迅速には第２の受信チェーンを無効化しないように増加される。アイドル時間しきい値の増加量は、たとえば、１０ｍｓなどの任意の好適な時間であり得る。モバイルデバイスの用途に応じて、アイドル時間の増加は異なり得る。ブロック７１０において送信チェーン上にアクティビティがないと決定された場合、ブロック７２０においてアイドル時間しきい値が減少される。アイドル時間しきい値のそのような減少は、電力消費量を低減するために第２の受信チェーンをより迅速に無効化する働きをし、送信チェーン上のアクティビティの欠如は、モバイルデバイスが現在使用されておらず、したがって、通信は、モバイルデバイスにおいて直ちに受信されるとは予想されないことを示し得る。
【００５０】
次に図８を参照して、アイドル時間しきい値を調整するための別の方法８００について説明する。最初に、ブロック８０５において、アイドル時間しきい値が初期値に設定される。上記で説明したのと同様に、この値は、データ通信が完了したことを示す平均時間量に、ネットワーク待ち時間遅延など、ワイヤレス通信の受信の遅延を考慮するためのいくらかの追加の時間を加えたもの、に基づき得る。一実施形態では、アイドル時間しきい値のための初期値は５０ｍｓに設定され、これは、この時間期間の間にワイヤレス通信がデバイスに向けられなかった場合、ワイヤレス通信は、完了した可能性が高く、ある未知の時間期間の間に再び開始される必要がないことを示す。ブロック８１０において、ワイヤレス通信の可能性が増加しているかどうかを決定するための基礎としてモバイルデバイスの履歴使用が使用される。履歴使用データは、日中の、たとえば、モバイルデバイスが一般により多くのデータを受信および／または送信するときの時間と、モバイルデバイスが一般により少ないデータを受信および／または送信するときの時間とに関係するデータを含み得る。たとえば、モバイルデバイスのユーザは、営業日に業務時間のかなりの部分の間にワイヤレス通信のためのデバイスを使用し、それから、夕方の非業務時間中にモバイルデバイスを定期的に使用することは少なく、夜間にはめったにモバイルデバイスを使用しないことがあり得る。この使用データは、履歴データ中に含まれ、その日の現在時間および／または曜日に基づき得るものであり、ワイヤレス通信の可能性の増加があると決定され得る。ブロック８１０において、ワイヤレス通信の可能性の増加があると決定された場合、アイドル時間しきい値はブロック８１５に従って増加される。アイドル時間の増加量は、使用量、または何らかの他の基準に基づき得る。たとえば、履歴データがある特定の時間期間中のほぼ一定の使用を示す場合、アイドル時間しきい値は、非常に高いしきい値に設定され得る。ブロック８１０において、ワイヤレス通信の可能性の増加がないと決定された場合、方法は、ブロック８２０において、履歴データに基づいてワイヤレス通信の可能性の減少があるかどうかを決定する。上記で説明した例では、履歴データは、夜間のワイヤレス通信の可能性の減少を示し得る。ワイヤレス通信データの可能性の減少があると決定された場合、ブロック８２５において、アイドル時間しきい値が減少される。この場合、第２の受信チェーンはより迅速に無効化され、それにより、モバイルデバイスの全体的な電力消費量を低減する。履歴データがワイヤレス通信の可能性の増加または減少を示さない場合、アイドル時間しきい値は、ブロック８０５において初期値に設定されたままである。履歴使用データに基づく様々な量のアイドル時間しきい値調整および異なるレベルの調整を含む、そのような適応的しきい値の多数の変形形態が実施され得ることが、当業者には容易に認識されよう。
【００５１】
図９は、他の実施形態による、モバイルデバイスにおいて第２の受信チェーンを有効化および無効化するための方法９００のフローチャートである。方法９００は、たとえば、全体的にまたは部分的に、図２のモバイルデバイス１１５‐ａ、または図４のプロセッサモジュール４０５によって実行され得る。ブロック９０５において、第１および第２の受信チェーンを使用して、モバイルデバイスにおいてワイヤレス通信が受信され、第２の受信チェーンが有効化される。ブロック９１０において、信号対干渉雑音比（ＳＩＮＲ）が所定のしきい値を超えたかどうかが決定される。ＳＩＮＲが所定のしきい値を上回った場合、これは、モバイルデバイスが、最大利用可能データレートで、あるいは要求されたデータレートでまたはそれを上回って、第１の受信チェーン上で通信を受信することが可能であることを示し得る。そのような場合、第２の受信チェーンは、それゆえに、指定されたまたは最大データレートでデータを受信するために必要とされないので、第２の受信チェーンは、ブロック９１５に従って無効化される。したがって、第２の受信チェーンは無効化され、モバイルデバイスの全体的な電力消費量が低減され得る。所定のしきい値は、いくつかのファクタのうちのいずれかに基づいて選択可能なしきい値データレートであり、そのしきい値データレートは、特定のデバイスおよび／または用途に適した量に設定される。たとえば、モバイルデバイスは、１０Ｍｂｉｔ／ｓ以下のデータレートを使用して動作するように設計され、所定のしきい値はそのデータレートに設定される。第１の受信チェーンが１０Ｍｂｉｔ／ｓデータレートでデータを受信するように動作している場合、第２の受信チェーンは無効化され、それによりモバイルデバイスの電力消費量が低減される。もちろん、所定のしきい値は、特定のモバイルデバイスと、そのモバイルデバイスの用途とに基づいて、任意の好適なしきい値量に設定され得る。ブロック９１０において、ＳＩＮＲが所定のしきい値を超えないと決定された場合、モバイルデバイスは、ブロック９２０において、第１の受信チェーンと第２の受信チェーンとの両方を使用して通信を受信し続ける。ＳＩＮＲの所定の値は、モバイルデバイスの特定の用途およびそのような用途に必要とされるまたは望まれるデータレート、ならびにそのようなデータレートを達成するために第１の受信チェーンを有効化するＳＩＮＲの値など、いくつかの異なるファクタに従って設定され得る。他の実施形態では、データレートは直接決定され、第２の受信チェーンは、測定されたデータレートが、要求されたデータレートまたは最大データレートを満たす（または超える）ときに無効化され得る。
【００５２】
図１０は、３つ以上の受信チェーンを有するモバイルデバイスにおいて受信チェーンを有効化および無効化するための方法１０００のフローチャートである。方法１０００は、たとえば、全体的にまたは部分的に、図２のモバイルデバイス１１５‐ａ、または図４のプロセッサモジュール４０５によって実行され得る。ブロック１００５において、３つ以上の受信チェーンを使用して、モバイルデバイスにおいてワイヤレス通信が受信される。ワイヤレスデータは、１つのワイヤレス通信チャネルが第１の受信チェーンまたはプライマリ受信チェーンに対応し、他のワイヤレス通信チャネルが２つ以上のダイバーシティ受信チェーンに対応する、マルチプルなワイヤレス通信チャネルから受信され得る。ブロック１０１０において、データレートしきい値が、利用可能な受信チェーンのすべてよりも少ない受信チェーンを使用して達成可能であるかどうかが決定される。そのような決定は、たとえば、様々な受信チェーン上のデータ送信レートを監視することによって、またはＳＩＮＲが受信チェーンのうちの１つまたは複数のための所定のしきい値を超えたかどうかを決定することによって決定され得る。データレートしきい値が受信チェーンのすべてよりも少ない受信チェーンを使用して達成可能でない場合、方法はブロック１００５において継続する。データレートしきい値が受信チェーンのすべてよりも少ない受信チェーンを使用して達成可能である場合、ブロック１０１５において示すように、それらの受信チェーンのうちの１つまたは複数が無効化される。たとえば、ターゲットデータレートがプライマリ受信チェーンのみを使用して達成され得る場合、ダイバーシティ受信チェーンのすべてが無効化される。同様に、ターゲットデータレートが第１および第２の受信チェーンを使用して達成され、デバイスが３つの受信チェーンを含む場合、第３の受信チェーンは無効化され、それにより、十分なデータレートを維持しながら全体的な電力消費量を低減し得る。
【００５３】
ブロック１０２０において、デバイスへのワイヤレス通信がアイドルであるかどうかが決定される。ワイヤレス通信がアイドルでない場合、方法は、ブロック１０１０において継続する。ワイヤレス通信がアイドルである場合、ブロック１０２５において、アイドル時間しきい値を超えたかどうかの決定がなされる。そのような決定は、ワイヤレス通信がアイドルであると最初に決定されたときにアイドル時間モニタにおいてタイマーを開始することによってなされ得る。経過時間がアイドル時間しきい値を超えない場合、方法はブロック１０２０において継続する。経過時間がアイドル時間しきい値を超えた場合、ブロック１０３０において示すように、１つの受信チェーン以外のすべての受信チェーンが無効化される。上記で説明したのと同様に、アイドル時間しきい値は、様々な異なる基準に従って設定されることができ、そのいくつかの例について本明細書で説明する。アイドル時間しきい値は、たとえば、５０ｍｓなど、所定の限界に設定され得る。モバイルデバイスに向けられたワイヤレス通信がそのような時間期間の間に受信されないときには、これは、特定の通信が完了し、モバイルデバイスに向けられた別の通信がかなり長い間受信されないことを示し得る。したがって、ダイバーシティ受信チェーンは、かなり長い間必要とされない可能性が高いので無効化され、それによりデバイスの全体的な電力消費量を低減し得る。ブロック１０３５において、デバイスに向けられたワイヤレス通信が受信されたかどうかが決定される。通信が受信されない場合、方法は、ダイバーシティ受信チェーンが無効化された状態で継続する。デバイスへのワイヤレス通信が受信された場合、ダイバーシティ受信チェーンは有効化され、方法は次いでブロック１００５において継続する。したがって、マルチプルな受信チェーンは、該マルチプルな受信チェーンのうちの１つまたは複数を有効化および無効化するために与えられた異なる基準とともに使用され得る。
【００５４】
図１１は、モバイルデバイスにおいて２つ以上のダイバーシティ受信チェーンを有効化および無効化するための方法１１００のフローチャートである。方法１１００は、たとえば、全体的にまたは部分的に、図２のモバイルデバイス１１５‐ａ、または図４のプロセッサモジュール４０５によって実行され得る。ブロック１１０５において、第１および第２の受信チェーンが有効化され、該受信チェーンを使用してモバイルデバイスにおいてワイヤレス通信が受信される。ブロック１１１０において、モバイルデバイスにおいて受信されたデータが所定のタイプのものであるかどうかが決定される。データの特定のタイプは、ストリーミングビデオなど、比較的高いデータレートで受信されることが望まれることがあるが、他のタイプは、電子メールメッセージなど、そのような比較的高いデータレートを必要としないことがある。データが所定のデータタイプのものであるという決定は、たとえば、ビット数／時間として受信データレートを監視し、この値がある時間期間にわたって高いときには（これはダウンロードされるべき多くのデータがあることを示唆する）、所定のデータタイプとして受信データを識別することによって、行われ得る。この決定は、プロセッサモジュール（たとえば、図４のモジュール４０５）として受信され得る他の情報を通じてなど、他の基準によっても行われ得る。図１１の例では、所定のデータタイプは、より高いデータレートで受信されるべきデータとして識別される、任意のタイプのデータを含む。受信データが所定のデータタイプのものであると決定された場合、方法は、ブロック１１１５において示されるように、１つまたは複数の他の受信チェーンを有効化し続ける。他の受信チェーンを有効化することは、データレートの増加と、より高いデータレートでデータを受信する能力とを可能にする。受信データが所定のデータタイプでない場合、または追加の受信チェーンが有効化された後、方法は、上記で説明した処理のいずれかなど、他の受信チェーンダイバーシティ処理を実行するために、ブロック１１２０において継続する。所定のデータタイプは、特定のデバイスおよび／または用途に基づくいくつかのファクタのいずれかに基づいて選択可能である。
【００５５】
添付の図面に関して上記に記載した詳細な説明は、例示的な実施形態について説明しており、実装され得るまたは特許請求の範囲内に入る実施形態のみを表すものではない。この説明全体にわたって使用する「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。場合によっては、説明する実施形態の概念を不明瞭にしないように、よく知られている構造およびデバイスをブロック図の形式で示す。
【００５６】
情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００５７】
本明細書の開示に関連して説明した様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００５８】
本明細書で説明した機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣ、またはＡＢまたはＡＣまたはＢＣまたはＡＢＣ（すなわち、ＡおよびＢおよびＣ）を意味するような選言的列挙を示す。
【００５９】
コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【００６０】
本開示についての以上の説明は、当業者が本開示を作製または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明した例および設計に限定されるものではなく、本明細書で開示した原理および新規の特徴に合致する最も広い範囲を与えられるべきである。
なお、以下に、出願当初の特許請求の範囲に記載された発明を付記する。
［Ｃ１］
ワイヤレス通信装置であって、
第１のワイヤレス通信チャネル上でワイヤレス通信を受信するように構成された第１の受信チェーンと、第２のワイヤレス通信チャネル上でワイヤレス通信を受信するように構成された第２の受信チェーンとを備える受信機モジュールと、
前記第１の受信チェーンと第２の受信チェーンとに通信可能に結合された制御モジュールであって、
ワイヤレス通信が前記第１の受信チェーンにおいて受信されたときに前記第１および第２の受信チェーンを有効化することと、
前記ワイヤレス通信装置に向けられたワイヤレス通信がアイドルである経過アイドル時間を監視することと、
前記経過アイドル時間が所定のしきい値を超えたときに前記第２の受信チェーンを無効化することと
を行うように構成された制御モジュールと
を備える、ワイヤレス通信装置。
［Ｃ２］
前記第１の受信チェーンがプライマリ受信チェーンであり、前記第２の受信チェーンがダイバーシティ受信チェーンである、Ｃ１に記載の装置。
［Ｃ３］
第３のワイヤレス通信チャネル上でワイヤレス通信を受信するように構成された第３の受信チェーンをさらに備え、前記制御モジュールは、前記第３の受信チェーンに通信可能に結合され、さらに、
ワイヤレス通信が前記第１の受信チェーンにおいて受信されたときに前記第１、第２、および第３の受信チェーンを有効化することと、
前記ワイヤレス通信装置に向けられたワイヤレス通信がアイドルである経過アイドル時間を監視することと、
前記経過アイドル時間が前記所定のしきい値を超えたときに前記第２および第３の受信チェーンを無効化することと
を行うように構成される
Ｃ１に記載の装置。
［Ｃ４］
ワイヤレス通信を送信するように構成された送信チェーンを備える送信機モジュールであって、前記制御モジュールに通信可能に結合された送信機モジュール
をさらに備え、
前記制御モジュールは、さらに、ワイヤレス通信が前記送信チェーンを使用して送信されるときに前記第１および第２の受信チェーンを有効化するように構成される
Ｃ１に記載の装置。
［Ｃ５］
前記送信チェーンおよび前記第１の受信チェーンが、第１のアンテナに通信可能に結合され、前記第１のアンテナを使用して複信でワイヤレス通信を送信および受信する、Ｃ４に記載の装置。
［Ｃ６］
前記第２の受信チェーンは、第２のアンテナに通信可能に結合され、前記第２のアンテナを使用してワイヤレス通信を受信する
Ｃ５に記載の装置。
［Ｃ７］
前記所定のしきい値は、前記送信チェーン上のアクティビティに基づいて設定される、Ｃ４に記載の装置。
［Ｃ８］
前記送信チェーン上にアクティビティがあるときに前記所定のしきい値が増加され、前記送信チェーン上にアクティビティがないときに前記所定のしきい値が減少される、Ｃ７に記載の装置。
［Ｃ９］
前記所定のしきい値は、前記ワイヤレス通信装置に関する履歴使用データに基づいて適応的である、Ｃ１に記載の装置。
［Ｃ１０］
前記所定のしきい値は、履歴使用データが前記ワイヤレス通信装置の使用の増加を示すときに時間期間中に増加される、Ｃ９に記載の装置。
［Ｃ１１］
前記所定のしきい値は、（ｉ）履歴使用データが、前記ワイヤレス通信装置に向けられたワイヤレス通信を受信する可能性の増加も減少も示さないときには第１の値に設定され、（ｉｉ）履歴使用データが、前記ワイヤレス通信装置に向けられたワイヤレス通信を受信する可能性の増加を示すときには、前記第１の値よりも長い経過アイドル時間に対応する第２の値に設定され、（ｉｉｉ）履歴使用データが、前記ワイヤレス通信装置に向けられたワイヤレス通信を受信する可能性の減少を示すときには、前記第１の時間期間よりも短い経過アイドル時間に対応する第３の値に設定される、Ｃ９に記載の装置。
［Ｃ１２］
前記制御モジュールは、さらに、ワイヤレス通信が前記ワイヤレス通信装置において受信されたときに前記第１の受信チェーン上でのデータ受信に関するデータレートを決定することと、前記データレートがあらかじめ定義されたデータレートしきい値を満たすときに前記第２の受信チェーンを無効化することとを行うように構成される、Ｃ１に記載の装置。
［Ｃ１３］
前記あらかじめ定義されたデータレートしきい値が、前記第１の受信チェーンについての最大達成可能データレートに対応する、Ｃ１２に記載の装置。
［Ｃ１４］
第３のワイヤレス通信チャネル上でワイヤレス通信を受信するように構成された第３の受信チェーンをさらに備え、前記制御モジュールは、さらに、前記データレートが１つまたは複数のあらかじめ定義されたデータレートしきい値を満たすときに前記第２および第３の受信チェーンのうちの１つまたは複数を無効化するように構成される、Ｃ１２に記載の装置。
［Ｃ１５］
第３のワイヤレス通信チャネル上でワイヤレス通信を受信するように構成された第３の受信チェーンをさらに備え、前記制御モジュールは、前記第３の受信チェーンに通信可能に結合され、さらに、
ワイヤレス通信が受信されたときに前記第１および第２の受信チェーンを有効化することと、
前記第１の受信チェーンにおいて受信されたデータのタイプを決定することと、
受信されたデータの前記タイプに基づいて前記第３の受信チェーンを有効化することと
を行うように構成された、Ｃ１に記載の装置。
［Ｃ１６］
前記制御モジュールは、前記第１の受信チェーン上でのデータ受信に関する信号対干渉雑音比（ＳＩＮＲ）を決定することと、前記ＳＩＮＲがあらかじめ定義されたＳＩＮＲしきい値を満たすかまたはそれを超えたときに前記第２の受信チェーンを無効化することとを行うようにさらに構成された、Ｃ１に記載の装置。
［Ｃ１７］
ワイヤレス通信装置において電力消費量を低減するための方法であって、
第１の受信チェーンを使用して、第１のワイヤレス通信チャネル上でワイヤレス通信を受信することと、
第２の受信チェーンを使用して、第２のワイヤレス通信チャネル上でワイヤレス通信を受信することと、
前記ワイヤレス通信装置に向けられたワイヤレス通信がアイドルである経過アイドル時間を監視することと、
前記経過アイドル時間が所定のしきい値を超えたときに前記第２の受信チェーンを無効化することと、
前記ワイヤレス通信装置に向けられたワイヤレス通信が前記第１の受信チェーンにおいて受信されたときに前記第２の受信チェーンを有効化することと
を備える、方法。
［Ｃ１８］
第３の受信チェーンを使用して、第３のワイヤレス通信チャネル上でワイヤレス通信を受信することと、
前記経過アイドル時間が前記所定のしきい値を超えたときに前記第３の受信チェーンを無効化することと、
前記ワイヤレス通信装置に向けられたワイヤレス通信が前記第１の受信チェーンにおいて受信されたときに前記第３の受信チェーンを有効化することと
をさらに備える、Ｃ１７に記載の方法。
［Ｃ１９］
第３の受信チェーンを使用して、第３のワイヤレス通信チャネル上でワイヤレス通信を受信することと、
前記第１および第２の受信チェーンのうちの１つまたは複数の上でのデータ受信に関するデータレートを決定することと、
前記データレートが１つまたは複数のあらかじめ定義されたデータレートしきい値を満たすときに前記第２および第３の受信チェーンのうちの１つまたは複数を無効化することと
をさらに備える、Ｃ１７に記載の方法。
［Ｃ２０］
前記第１および第２の受信チェーン上から受信されているデータのタイプを決定することと、
受信されているデータの前記タイプに基づいて少なくとも第３の受信チェーンを有効化することと
をさらに備える、Ｃ１７に記載の方法。
［Ｃ２１］
送信チェーンを使用して、前記ワイヤレス通信装置からワイヤレス通信を送信することと、
ワイヤレス通信が前記送信チェーンを使用して送信されるときに前記第２の受信チェーンを有効化することと、
前記ワイヤレス通信装置に向けられたワイヤレス通信がアイドルである経過アイドル時間を監視することと、
前記経過アイドル時間が前記所定のしきい値を超えたときに前記第２の受信チェーンを無効化することと
をさらに備える、Ｃ１７に記載の方法。
［Ｃ２２］
前記送信チェーン上のアクティビティに基づいて前記所定のしきい値を調整すること
をさらに備える、Ｃ２１に記載の方法。
［Ｃ２３］
調整することは、
前記送信チェーン上にアクティビティがあるときに前記所定のしきい値を増加させることと、
前記送信チェーン上にアクティビティがないときに前記所定のしきい値を減少させることと
を含む、Ｃ２２に記載の方法。
［Ｃ２４］
前記ワイヤレス通信装置に関する履歴使用データに基づいて前記所定のしきい値を調整すること
をさらに備える、Ｃ１７に記載の方法。
［Ｃ２５］
調整することは、
履歴使用データが前記ワイヤレス通信装置の使用の増加を示すときに時間期間中に前記所定のしきい値を増加させること
を含む、Ｃ２４に記載の方法。
［Ｃ２６］
調整することは、
履歴使用データがワイヤレス通信の可能性の増加も減少も示さないときに第１の所定のしきい値を設定することと、
履歴使用データがワイヤレス通信の可能性の増加を示すときに前記第１の所定のしきい値よりも長い経過アイドル時間に対応する第２の所定のしきい値を設定することと、
履歴使用データがワイヤレス通信の可能性の減少を示すときに前記第１の所定のしきい値よりも短い経過アイドル時間に対応する第３の所定のしきい値を設定することと
を含む、Ｃ２４に記載の方法。
［Ｃ２７］
前記第１の受信チェーン上でのデータ受信に関するデータレートを決定することと、
前記データレートがあらかじめ定義されたしきい値を満たすときに前記第２の受信チェーンを無効化することと
をさらに備える、Ｃ１７に記載の方法。
［Ｃ２８］
前記あらかじめ定義されたしきい値は、前記第１の受信チェーンについての最大達成可能データレートに対応する、Ｃ２７に記載の方法。
［Ｃ２９］
前記第１の受信チェーン上でのデータ受信に関する信号対干渉雑音比（ＳＩＮＲ）を決定することと、
前記ＳＩＮＲがあらかじめ定義されたしきい値を満たすかまたはそれを超えたときに前記第２の受信チェーンを無効化することと
をさらに備える、Ｃ１７に記載の方法。
［Ｃ３０］
ワイヤレス通信装置であって、
第１のワイヤレス通信チャネル上でワイヤレス通信を受信するための第１の受信手段と、
第２のワイヤレス通信チャネル上でワイヤレス通信を受信するための第２の受信手段と、
前記ワイヤレス通信装置に向けられたワイヤレス通信がアイドルである経過アイドル時間を監視するための手段と、
前記経過アイドル時間が所定のしきい値を超えたときに前記第２の受信手段を無効化するための手段と、
前記ワイヤレス通信装置に向けられたワイヤレス通信が前記第１の受信手段において受信されたときに前記第２の受信手段を有効化するための手段と
を備える、ワイヤレス通信装置。
［Ｃ３１］
第３のワイヤレス通信チャネル上でワイヤレス通信を受信するための第３の受信手段と、
前記経過アイドル時間が前記所定のしきい値を超えたときに前記第３の受信手段を無効化するための手段と、
前記ワイヤレス通信装置に向けられたワイヤレス通信が前記第１の受信手段において受信されたときに前記第３の受信手段を有効化するための手段と
をさらに備える、Ｃ３０に記載の装置。
［Ｃ３２］
第３のワイヤレス通信チャネル上でワイヤレス通信を受信するための第３の受信手段と、
前記第１および第２の受信手段のうちの１つまたは複数の上でのデータ受信に関するデータレートを決定するための手段と、
前記データレートが１つまたは複数のあらかじめ定義されたデータレートしきい値を満たすときに前記第２および第３の受信手段のうちの１つまたは複数を無効化するための手段と
をさらに備える、Ｃ３０に記載の装置。
［Ｃ３３］
第３のワイヤレス通信チャネル上でワイヤレス通信を受信するための第３の受信手段と、
前記第１および第２の受信手段上から受信されているデータのタイプを決定するための手段と、
受信されているデータの前記タイプに基づいて前記第３の受信手段を有効化するための手段と
をさらに備える、Ｃ３０に記載の装置。
［Ｃ３４］
前記ワイヤレス通信装置からワイヤレス通信を送信するための送信手段と、
ワイヤレス通信が前記送信手段を使用して送信されるときに前記第２の受信手段を有効化するための手段と、
前記ワイヤレス通信装置に向けられたワイヤレス通信がアイドルである経過アイドル時間を監視するための手段と、
前記経過アイドル時間が前記所定のしきい値を超えたときに前記第２の受信手段を無効化するための手段と
をさらに備える、Ｃ３０に記載の装置。
［Ｃ３５］
前記送信手段および第１の受信手段は、第１のアンテナに相互接続され、前記第１のアンテナを使用して複信でワイヤレス通信を送信および受信する、Ｃ３４に記載の装置。
［Ｃ３６］
前記送信手段上のアクティビティに基づいて前記所定のしきい値を調整するための手段
をさらに備える、Ｃ３４に記載の装置。
［Ｃ３７］
前記所定のしきい値を調整することは、
前記送信手段上にアクティビティがあるときに前記所定のしきい値を増加させることと、
前記送信手段上にアクティビティがないときに前記所定のしきい値を減少させることと
を含む、Ｃ３６に記載の装置。
［Ｃ３８］
前記ワイヤレス通信装置に関する履歴使用データに基づいて前記所定のしきい値を調整するための手段
をさらに備える、Ｃ３０に記載の装置。
［Ｃ３９］
前記所定のしきい値を調整することは、
履歴使用データが前記ワイヤレス通信装置の使用の増加を示すときに時間期間中に前記所定のしきい値を増加させること
を含む、Ｃ３８に記載の装置。
［Ｃ４０］
前記所定のしきい値を調整することは、
履歴使用データがワイヤレス通信の可能性の増加も減少も示さないときに第１の所定のしきい値を設定することと、
履歴使用データがワイヤレス通信の可能性の増加を示すときに前記第１の所定のしきい値よりも長い経過アイドル時間に対応する第２の所定のしきい値を設定することと、
履歴使用データがワイヤレス通信の可能性の減少を示すときに前記第１の所定のしきい値よりも短い経過アイドル時間に対応する第３の所定のしきい値を設定することと
を含む、Ｃ３８に記載の装置。
［Ｃ４１］
前記第１の受信手段上でのデータ受信に関するデータレートを決定するための手段
をさらに備え、
前記第２の受信手段を無効化するための前記手段は、前記データレートがあらかじめ定義されたしきい値を満たすときに前記第２の受信手段を無効化する
Ｃ３０に記載の装置。
［Ｃ４２］
前記あらかじめ定義されたしきい値は、前記第１の受信手段のための最大達成可能データレートに対応する、Ｃ４１に記載の装置。
［Ｃ４３］
前記第１の受信手段上でのデータ受信に関する信号対干渉雑音比（ＳＩＮＲ）を決定するための手段
をさらに備え、
前記第２の受信手段を無効化するための前記手段は、前記ＳＩＮＲがあらかじめ定義されたしきい値を満たすかまたはそれを超えたときに前記第２の受信手段を無効化する
Ｃ３０に記載の装置。
［Ｃ４４］
第１の受信チェーンを使用して、第１のワイヤレス通信チャネル上でワイヤレス通信を受信するためのコードと、
第２の受信チェーンを使用して、第２のワイヤレス通信チャネル上でワイヤレス通信を受信するためのコードと、
前記ワイヤレス通信装置に向けられたワイヤレス通信がアイドルである経過アイドル時間を監視するためのコードと、
前記経過アイドル時間が所定のしきい値を超えたときに前記第２の受信チェーンを無効化するためのコードと、
前記ワイヤレス通信装置に向けられたワイヤレス通信が前記第１の受信チェーンにおいて受信されたときに前記第２の受信チェーンを有効化するためのコードと
を備えるコンピュータ可読媒体
を備えるコンピュータプログラム製品。
［Ｃ４５］
第３の受信チェーンを使用して、第３のワイヤレス通信チャネル上でワイヤレス通信を受信するためのコードと、
前記経過アイドル時間が前記所定のしきい値を超えたときに前記第３の受信チェーンを無効化するためのコードと、
前記ワイヤレス通信装置に向けられたワイヤレス通信が前記第１の受信チェーンにおいて受信されたときに前記第３の受信チェーンを有効化するためのコードと
をさらに備える、Ｃ４４に記載のコンピュータプログラム製品。
［Ｃ４６］
第３の受信チェーンを使用して、第３のワイヤレス通信チャネル上でワイヤレス通信を受信するためのコードと、
前記第１および第２の受信チェーンのうちの１つまたは複数の上でのデータ受信に関するデータレートを決定するためのコードと、
前記データレートが１つまたは複数のあらかじめ定義されたデータレートしきい値を満たすときに前記第２および第３の受信チェーンのうちの１つまたは複数を無効化するためのコードと
をさらに備える、Ｃ４４に記載のコンピュータプログラム製品。
［Ｃ４７］
前記第１および第２の受信チェーン上から受信されているデータのタイプを決定するためのコードと、
受信されているデータの前記タイプに基づいて少なくとも第３の受信チェーンを有効化するためのコードと
をさらに備える、Ｃ４４に記載のコンピュータプログラム製品。
［Ｃ４８］
送信チェーンを使用して、前記ワイヤレス通信装置からワイヤレス通信を送信するためのコードと、
ワイヤレス通信が前記送信チェーンを使用して送信されるときに前記第２の受信チェーンを有効化するためのコードと、
前記ワイヤレス通信装置に向けられたワイヤレス通信がアイドルである経過アイドル時間を監視するためのコードと、
前記経過アイドル時間が前記所定のしきい値を超えたときに前記第２の受信チェーンを無効化するためのコードと
をさらに備える、Ｃ４４に記載のコンピュータプログラム製品。
［Ｃ４９］
前記送信チェーン上のアクティビティに基づいて前記所定のしきい値を調整するためのコード
をさらに備える、Ｃ４８に記載のコンピュータプログラム製品。
［Ｃ５０］
調整するための前記コードは、
前記送信チェーン上にアクティビティがあるときに前記所定のしきい値を増加させるためのコードと、
前記送信チェーン上にアクティビティがないときに前記所定のしきい値を減少させるためのコードと
を含む、Ｃ４９に記載のコンピュータプログラム製品。
［Ｃ５１］
前記ワイヤレス通信装置に関する履歴使用データに基づいて前記所定のしきい値を調整するためのコード
をさらに備える、Ｃ４４に記載のコンピュータプログラム製品。
［Ｃ５２］
調整するための前記コードは、
履歴使用データが前記ワイヤレス通信装置の使用の増加を示すときに時間期間中に前記所定のしきい値を増加させるためのコード
を含む、Ｃ５１に記載のコンピュータプログラム製品。
［Ｃ５３］
調整するための前記コードは、
履歴使用データがワイヤレス通信の可能性の増加も減少も示さないときに第１の所定のしきい値を設定するためのコードと、
履歴使用データがワイヤレス通信の可能性の増加を示すときに前記第１の所定のしきい値よりも長い経過アイドル時間に対応する第２の所定のしきい値を設定するためのコードと、
履歴使用データがワイヤレス通信の可能性の減少を示すときに前記第１の所定のしきい値よりも短い経過アイドル時間に対応する第３の所定のしきい値を設定するためのコードと
を含む、Ｃ５１に記載のコンピュータプログラム製品。
［Ｃ５４］
前記第１の受信チェーン上でのデータ受信に関するデータレートを決定するためのコードと、
前記データレートがあらかじめ定義されたしきい値を満たすときに前記第２の受信チェーンを無効化するためのコードと
をさらに備える、Ｃ４４に記載のコンピュータプログラム製品。
［Ｃ５５］
前記あらかじめ定義されたしきい値は、前記第１の受信チェーンについての最大達成可能データレートに対応する、Ｃ５４に記載のコンピュータプログラム製品。
［Ｃ５６］
前記第１の受信チェーン上でのデータ受信のための信号対干渉雑音比（ＳＩＮＲ）を決定するためのコードと、
前記ＳＩＮＲがあらかじめ定義されたしきい値を満たすかまたはそれを超えたときに前記第２の受信チェーンを無効化するためのコードと
をさらに備える、Ｃ４４に記載のコンピュータプログラム製品。
【図１】
0005666744.tif 000002
【図２】
0005666744.tif 000003
【図３】
0005666744.tif 000004
【図４】
0005666744.tif 000005
【図５】
0005666744.tif 000006
【図６】
0005666744.tif 000007
【図７】
0005666744.tif 000008
【図８】
0005666744.tif 000009
【図９】
0005666744.tif 000010
【図１０】
0005666744.tif 000011
【図１１】
0005666744.tif 000012